(57)【特許請求の範囲】
【請求項１】
非接触式にてＩＣカードとのデータ交信を行う保安装置の非接触式カードリーダーにおいて、前記ＩＣカードには時刻データと時刻修正コードとを記録し、時刻データとして、月データ、日データ、時データ、分データを各々異なる非接触式ＩＣカードに記憶させ、この非接触式ＩＣカードを用いて時刻データをカードリーダーに読み込ませることとし、前記非接触式カードリーダーは該時刻修正コードが読み込まれたときに前記時刻データに基づいてリアルタイムクロックの時刻修正を行うことを特徴とする保安装置における非接触式カードリーダーの時刻設定方法。
【請求項２】
前記ＩＣカードには数値設定用のスイッチを設け、該スイッチの設定に応じた時刻データを形成して時刻修正コードと共に出力させることを特徴とする請求項１に記載した保安装置における非接触式カードリーダーの時刻設定方法。
【発明の詳細な説明】
【０００１】
【発明の属する技術分野】
本発明は、保安装置に使用される非接触式ＩＣカードを読み取るカードリーダーに関し、尚詳しくは、カードリーダーにおけるリアルタイムクロックの時刻を修正する方法及び時刻修正のための非接触式ＩＣカードに関するものである。
【０００２】
【従来の技術】
今日、マイクロコンピュータなどのコンピュータにより種々の装置が制御されている。
そして、コンピュータのデータの一部、特に個人情報などのデータを磁気テープに記憶する磁気カードに変わり、コンピュータデータの一部とするパーソナルデータの記憶容量を大きくしたＩＣカードが多用されるようになってきた。
【０００３】
このＩＣカードは、厚さを０．７６ｍｍとし、幅を５４ｍｍ、長さを５８ｍｍとする名刺程度の大きさの樹脂板にＩＣと呼ばれる小型の集積回路を封止してメモリやマイクロコンピュータを樹脂板に組み込んだものである。
又、ＩＣカードに記憶させる情報により、所有者の身分などを証明するＩＣカードはＩＤカードと呼ばれ、特定の部屋への入退室や特定区域の通過などの証明書として利用されているものもある。
【０００４】
更に、近年、このＩＣカードとして接点を裏面に設けることによりリーダーライターと接触させることによってデータの交信を行うカードの他、コイルの電磁誘導を利用し、リーダーライターの受信部にＩＣカードを近接させた非接触状態でのデータの交信を可能とするものも使用されている。
この非接触式ＩＣカードは、現在、厚さを数ｍｍとし、直径が数ｃｍ程度の円形又は多角形とされたものが多く、図５に示すように、上ケース11と下ケース12との間に１チップのメモリ及びマイクロコンピュータ15などを形成する集積回路を回路基板13に取り付けて収納し、更に回路基板13の周囲に巻回されたアンテナコイル16が設けられるものである。
【０００５】
尚、アンテナコイル16の他、送受信回路や電源回路が組み込まれ、アンテナコイル16で受信した電波により電源回路でマイクロコンピュータ15の作動に必要な電圧を形成し、送受信回路によりマイクロコンピュータ15からのデータをアンテナコイル16に送り、又、アンテナコイル16で受信したデータをマイクロコンピュータ15に送るものとされている。
【０００６】
そして、この非接触式ＩＣカード10と交信するカードリーダーは、例えば図６に示すように、電子ロック51と組み合わせた保安装置40とし、交信部43により非接触式ＩＣカード10から所定のデータを受信したとき、マイクロコンピュータ47の制御により電子ロック51を開錠するものがある。
この保安装置40としては、カードリーダー41として、交信部43とマイクロコンピュータ47及びリアルタイムクロック48や通信インターフェース49を有し、交信部43のアンテナ44により非接触式ＩＣカード10とデータの交信を行い、送受信インターフェース45を介してマイクロコンピュータ47に受信したデータを送り、マイクロコンピュータ47で受信したデータの解析を行ってＩＣカード10のデータが所定のＩＤであれば電子ロック51に開錠信号を送るものである。
【０００７】
そして、電子ロック51は、開錠信号によりリレードライバー53を作動させ、リレー55により電気錠57のロックを解除するものであり、この保安装置40は特定のＩＤを記録した非接触式ＩＣカード10を交信部43に近接させると扉の開放などが可能となるものである。
そして、このカードリーダー41では、電子ロック51を開いた時刻をリアルタイムクロック48からマイクロコンピュータ47が読み出し、開錠したときに読み込んだＩＤと開錠時刻などの情報を開錠情報として記録しておき、通信インターフェース49を介して適宜外部のマイクロコンピュータに記録情報を送出し、又、通信インターフェース49を介して適宜ホストコンピュータに送信するものである。
【０００８】
【発明が解決しようとする課題】
この非接触式ＩＣカードを利用する保安装置などの機器は、保安装置にマイクロコンピュータの設定を行うための入出力用キーボードなどを設けないものが多い。
このため、カードリーダーのリアルタイムクロックに記憶する現時刻の修正を行うためには、外部コンピュータから通信インターフェースを介してデータの入力などを行わなければならず、データ収集用のマイクロコンピュータなどを通信インターフェースに接続し、この外部コンピュータを操作してカードリーダーの時刻修正を行っており、時刻の修正設定に手数を要する不便があった。
【０００９】
【課題を解決するための手段】
本発明は、非接触にてＩＣカードとデータ交信を行う保安装置の非接触式カードリーダーにおいて、時刻データと時刻修正コードとを非接触式ＩＣカードに記録し、この非接触式ＩＣカードに記録した時刻データ及び時刻修正コードをカードリーダーに読み込ませ、時刻修正コードが読み込まれたときに読み込んだ時刻データに基づいてリアルタイムクロックの時刻修正を行わせることとする。
【００１０】
このように、時刻修正コードを非接触式ＩＣカードに記憶させ、カードリーダーに読み込ませることとすれば、この非接触式ＩＣカードをカードリーダーの受信アンテナに近づけるだけで時刻修正を行うことができる。
そして、修正する時刻の数値データとなる時刻データも非接触式ＩＣカードに記憶させる故、修正に際しての正しい時刻の入力を行う際、非接触式ＩＣカードをカードリーダーの受信アンテナに近づけるだけで必要なデータの入力も容易に行うことができる。
【００１１】
そして、本発明は、時刻データを、月データ、日データ、時データ、及び、分データとし、この月データ、日データ、時データ、及び、分データを各々異なる非接触式ＩＣカードに記憶させ、複数枚の非接触式ＩＣカードを用いて時刻データをカードリーダーに読み込ませることとする。
このように、時刻データを分散させてカードに記憶させることとすれば、固定値の時刻データを記憶した数十枚の非接触式ＩＣカードを準備し、この数十枚のカード内から所要のカード数枚を選択して現時刻データを決定することが容易にできる。
【００１２】
又、非接触式ＩＣカードのカードナンバーなどのデータにより、時刻修正用非接触式ＩＣカードであることを判別させ、且つ、データの種類を特定して入力することを可能とすることも容易にできることになる。
更に、本発明は、時刻データを記憶する非接触式ＩＣカードには数値設定用のスイッチを設け、該スイッチにより所定時刻の時刻データを変更設定可能な非接触式ＩＣカードとし、このスイッチにより設定した時刻データを時刻修正コードと合わせてカードリーダーに読み込ませることもある。
【００１３】
このように、スイッチにより時刻データの数値を設定する非接触式ＩＣカードとすれば、カードリーダーの時刻修正に際して所定の時刻の時刻データを入力することが極めて容易である。
【００１４】
【発明の実施の形態】
本発明に係る保安装置の非接触式ＩＣカードの第１の実施の形態は、カードナンバーなどのデータと共に時刻データと時刻修正コードとをデータとして記憶するものである。
この時刻修正コードは、カードリーダー41に内蔵するマイクロコンピュータ47にリアルタイムクロック48の時刻修正を行わせるものである。即ち、この非接触式ＩＣカード10とデータの交信を行ったカードリーダー41には、非接触式ＩＣカード10から読み込んだ時刻データをリアルタイムクロック48にセットさせるようにするものである。
【００１５】
この時刻修正用非接触式ＩＣカード10としては、月データ用の非接触式ＩＣカード10として「１」から「１２」までの数値データと、この数値データが月データであることを示す種類データとを記憶させた１２枚の月データ用カード、又、「０」から「９」までの数値データとこの数値データが１桁の日データであることを示す種類データとを記憶させたカード、及び、「０」から「３」までの数値データとこの数値データが１０桁の日データであることを示す種類データとを記憶させたカードによる１４枚の日データ用カード、更に、「０」から「９」までの数値データとこの数値データが１桁の時データであることを示す種類データとを記憶させたカード、及び、「０」から「２」までの数値データとこの数値データが１０桁の時データであることを示す種類データとを記憶させたカードによる１３枚の時データ用カード、そして、「０」から「９」までの数値データとこの数値データが１桁の分データであることを示す種類データとを記憶させたカード、及び、「０」から「５」までの数値データとこの数値データが１０桁の分データであることを示す種類データとを記憶させたカードによる１６枚の分データ用カード、の計５５枚の非接触式ＩＣカード10を用意するものである。
【００１６】
従って、この時刻修正用非接触式ＩＣカード10を用いてカードリーダー41の時刻設定を行うに際しては、月データ用カードを１枚、日データ用カードの２枚、時データ用カードの２枚、分データ用カードの２枚の合計７枚のカードを選択し、カードリーダー41に読み込ませてリアルタイムクロック48を修正すべき正しい時刻データを形成することができる。
【００１７】
尚、月データ用カードとして、「０」から「９」までの数値データとこの数値データが１桁の月データであることを示す種類データとを記憶させたカード、及び、「０」と「１」の数値データとこの数値データが１０桁の月データであることを示す種類データとを記憶させたカード、による１２枚の非接触式ＩＣカード10を月データ用カードとして準備することもある。
【００１８】
この場合は、月データ用カードの２枚により月データを形成し、合計８枚の非接触式ＩＣカード10により修正すべき正しい現時刻の時刻データを形成することができる。
そして、この７枚又は８枚の時刻修正用非接触式ＩＣカード10をカードリーダー41のアンテナに近接させて非接触式ＩＣカード10のデータをカードリーダー41に読み込ませるものである。
【００１９】
このように、数値データと種類データとで構成した時刻データ、及び、時刻修正コードを記録した非接触式ＩＣカード10をカードリーダー41に近接させると、図１に示すように、カードリーダー41はカードが検出されたか否かの判断（Ｓ１０１）により非接触式ＩＣカード10を検出したとき、非接触式ＩＣカード10からのデータを読み込み（Ｓ１０２）、このデータが時刻修正設定用のデータであるか否かの判断（Ｓ１０３）を行い、時刻修正用ＩＣカード10でないときは電気錠の開錠など、通常の制御処理（Ｓ１２０）を行うも、読み込んだデータ中に時刻修正コードが存在するときは、時刻修正用の非接触式ＩＣカード10であると判断して時刻修正処理を行うものである。
【００２０】
この時刻修正処理としては、種類データにより読み込んだ数値データの桁を判別しつつ数値データをメモリの所定領域に保存し（Ｓ１１１）、必要な１０進数で８桁の数値が揃ったか否かの判断（Ｓ１１２）を行いつつ各桁の数値の保存（Ｓ１１１）を行うものである。そして、８桁の数値が揃ったときにリアルタイムクロック48にこの数値をプリセットして時刻修正を行う（Ｓ１１５）ものとしている。
【００２１】
従って、７枚又は８枚の非接触式ＩＣカード10をカードリーダー41に接近させたとき、非接触式ＩＣカード10の組み合わせによる月日時分の時刻データが現時刻データとしてカードリーダー41のリアルタイムクロック48にセットされることになる。
このように、非接触式ＩＣカード10に記録するデータとして、所有者個人のパーソナルデータなどに換えて時刻データとしての数値データ及び種類データを記録しておくと共に、この時刻データと時刻修正コードとを記憶させた非接触式ＩＣカード10を用いれば、カードリーダー41に時刻修正処理を開始させる命令である時刻修正コードの入力、及び、修正すべき数値となる時刻データの入力が極めて容易に行えることとなる。
【００２２】
又、この時刻データと時刻修正コードとを記憶させた非接触式ＩＣカード10は、通常の非接触式ＩＣカード10のパーソナルデータに換えて時刻データと時刻修正コードとを記憶させるものであるから、非接触式ＩＣカード10の製造が極めて容易であり、必要な７枚又は８枚の非接触式ＩＣカード10を選んでカードリーダー41にかざすのみで極めて簡単に時刻修正を行うことができる。
【００２３】
そして、この時刻修正を行うに際しては、所定の時刻修正コードを読み取ったときに時刻修正モードが起動するようにカードリーダー41のマイクロコンピュータ47をプログラムするものであるから、極めて容易に実施することができる。
尚、カードリーダー41のマイクロコンピュータ47をプログラムするに際し、８桁全てが揃ったときにリアルタイムクロック48の現時刻データを書き換えるようにする場合のみでなく、読み取った数値を種類データに基づいてリアルタイムクロック48の月カウンタや日カウンタ、又は時カウンタや分カウンタに書き込み、読み込んだ所定の桁だけを修正するようにすることもできる。
【００２４】
このように、読み込んだ桁だけを修正するようにしておけば、分、時、日、月のデータを個別に修正することも可能であり、７枚又は８枚のカードを選択して使用する場合のみでなく、分又は時の修正を行うに場合、時データ用カードの２枚や分データ用カードの２枚など、２枚又は４枚などの所定のカードを用いて必要な時刻修正を行うことができる。
【００２５】
又、この時刻修正用非接触式ＩＣカード10としては、数値データと種類データとを記憶させ、カードナンバーなどのデータにより時刻修正用非接触式ＩＣカード10であることを判別させることもある。即ち、時刻修正用非接触式ＩＣカード10との交信によりカードリーダー41が読み込んだカードナンバーが所定のカードナンバーの場合には、カードリーダー41のマイクロコンピュータ47に時刻修正処理を起動させることとしておき、カードナンバーをもって時刻修正コードとするものである。
【００２６】
更に、カードナンバーによって時刻修正用非接触式ＩＣカード10であることを判別させ、且つ、このカードナンバーにより数値の桁をも判別させることとし、非接触式ＩＣカード10にはカードナンバーと時刻修正用の数値データのみを記憶させておくこともある。
そして、他の実施の形態としては、固定数値の時刻データを記憶させる非接触式ＩＣカード10を用いる場合のみでなく、数値データを変更可能とする非接触式ＩＣカード10を用いる場合がある。
【００２７】
この場合は、図２に示すように、月データ用カード21として１から１２の数値設定を行うスライドスイッチなどのスイッチ31を有するカードとし、日データ用カード23して１０桁スイッチ33と１桁スイッチ34とを有するカード、時データ用カード25や分データ用カード27しても同様に各々１０桁スイッチ35,37と１桁スイッチ36,38とを有するカードとするものである。
【００２８】
このような数値設定用のスイッチを設ける非接触式ＩＣカード10では、図３に示すように、数値データ変更用の入出力インターフェース19を組み込むものとし、入出力インターフェース19を介して非接触式ＩＣカード10内のマイクロコンピュータ15と各スイッチのスイッチ接点群39とを接続しておくものである。
従って、従来と同様に、アンテナコイル16によりカードリーダー41から所定周波数の電磁波を受信し、電源回路18により電力が供給されてマイクロコンピュータ15が作動する際、マイクロコンピュータ15のメモリに記録してあるカードナンバーなどのデータと共に各スイッチのスイッチ接点群39により設定される数値データもマイクロコンピュータ15に読み込んで送受信回路17を介してアンテナコイル16から送信することができる。
【００２９】
従って、この非接触式ＩＣカード10は、専用カードとして製造することが必要であるも、スイッチにより所定の数値データを簡単に設定することができ、カードリーダー41の近くで数値の設定を行ってカードリーダー41にデータを読み込ませることができる。
更に、設定数値の変更を可能とする非接触式ＩＣカード10としては、図４に示すように、月データ用の１０桁スイッチ31及び１桁スイッチ31、日データ用の１０桁スイッチ33及び１桁スイッチ34、時データ用の１０桁スイッチ35及び１桁スイッチ36、分データ用の１０桁スイッチ37及び１桁スイッチ38、の８個のスイッチ、又は、月データ用としては１から１２の数値設定可能な１個のスイッチ31として７個のスイッチを設け、１枚のカードにより、月、日、時、分の全てのデータ設定を可能とすることもある。
【００３０】
尚、このように１枚のカードで全ての数値データを設定する場合、この非接触式ＩＣカード10には、４個又は７個や８個のカードナンバーを記憶させ、各カードナンバーと各スイッチにより設定する分、時、日、月の数値データとを各々対応させておくこともある。
【００３１】
【発明の効果】
請求項１に係る発明は、時刻データと時刻修正コードとを記録した非接触式ＩＣカードを用い、この非接触式ＩＣカードの時刻データ及び時刻修正コードがカードリーダーに読み込まれたときにリアルタイムクロックの時刻修正を行う非接触式カードリーダーの時刻設定方法である。
【００３２】
従って、非接触式ＩＣカードをカードリーダーに接近させるのみで容易にカードリーダーの時刻修正を行うことができる。
そして、この請求項１に係る発明は、時刻データとして、月データ、日データ、時データ、分データを各々異なる非接触式ＩＣカードに記憶させ、複数枚の非接触式ＩＣカードを用いて時刻データをカードリーダーに読み込ませる非接触式カードリーダーの時刻設定方法である。
【００３３】
従って、時刻データとして固定数値を有する非接触式ＩＣカードの数十枚を用意し、所定の非接触式ＩＣカードの組み合わせによって必要な時刻データを形成することができることになる。
又、所定のデータだけを修正設定することも容易に可能となるものである。
そして、請求項２に係る発明は、ＩＣカードにスイッチを設け、スイッチにより所定時刻の時刻データを設定可能とした非接触式ＩＣカードを使用する非接触式カードリーダーの時刻設定方法である。
【００３４】
従って、使用するＩＣカードの枚数を少なくすることができると共にカードリーダーの近くで数値の設定を行い、設定すべき時刻データとしての数値の形成決定が極めて容易となるものである。
【図面の簡単な説明】
【図１】  カードリーダーの動作を示すフローチャート図。
【図２】  本発明の実施に用いる専用カードの一例を示す外観図。
【図３】  本発明の実施に用いる専用カードの構造例を示す図。
【図４】  本発明の実施に用いる専用カードの他の例を示す外観図。
【図５】  非接触式ＩＣカードの一例を示す断面図。
【図６】  カードリーダーの一例を示すブロック図。
【符号の説明】
１０  非接触式ＩＩＣカード
１１  上ケース                    １２  下ケース
１３  回路基板                    １５  マイクロコンピュータ
１６  アンテナコイル              １７  送受信回路
１８  電源回路                    １９  入出力インターフェース
２１  月データ用カード            ２３  日データ用カード
２５  時データ用カード            ２７  分データ用カード
３１，３３，３４，３５，３６，３７，３８  スイッチ
３９  スイッチ接点群
４０  保安装置
４１  カードリーダー
４３  交信部                      ４４  アンテナ
４５  送受信インターフェース      ４７  マイクロコンピュータ
４８  リアルタイムクロック        ４９  通信インターフェース
５１  電子ロック
５３  リレードライバー            ５５  リレー
５７  電気錠
【図１】
0003636874.tif 000002
【図２】
0003636874.tif 000003
【図３】
0003636874.tif 000004
【図４】
0003636874.tif 000005
【図５】
0003636874.tif 000006
【図６】
0003636874.tif 000007